(57)【要約】      （修正有）【課題】弁体が傾いても透孔との密着性が低下することが無く、また弁体がスムーズに上下動することが出来る逆止弁及び当該逆止弁を有する液体用又は紛体用の容器を提供する。【解決手段】逆止弁は、弁体１０と弁体１０に一体形成された柱部１３及び突出部１４からなり、弁体１０は、略半球体状の透孔閉鎖部１２を有し、柱部１３は弁体１０の上面中央から軸線方向に突出して形成され、突出部１４は弁体１０の透孔閉鎖部１２から弁体１０を挟んで柱部１３とは反対の軸線方向に突出して形成される。【選択図】図１
0003211858.tif 000002
【実用新案登録請求の範囲】
【請求項１】
液体用又は紛体用容器の排出部に用いる逆止弁であって、
弁体と、前記弁体に一体形成された柱部及び突出部からなり、
前記弁体は、下面に略半球体状の透孔閉鎖部を有し、
前記柱部は、前記弁体の上面中央から軸線方向に突出して形成され、
前記突出部は、前記弁体の前記透孔閉鎖部から、前記弁体を挟んで前記柱部とは反対の軸線方向に突出して形成されている、
ことを特徴とする逆止弁。
【請求項２】
前記柱部は、ストレートな円柱形状、又は先端に向かって縮径するテーパーを有する円柱形状である、
ことを特徴とする請求項１に記載の逆止弁。
【請求項３】
前記柱部の径は、前記鍔部の径の１／４〜１／３である、
ことを特徴とする請求項１又は２に記載の逆止弁。
【請求項４】
前記柱部の長さは、少なくとも使用者が指で摘まむことが可能な５ｍｍ以上の長さである、
ことを特徴とする請求項１ないし３のいずれか１項に記載の逆止弁。
【請求項５】
前記突出部は、断面円形又は断面十字形状である、
ことを特徴とする請求項１ないし４のいずれか１項に記載の逆止弁。
【請求項６】
前記突出部は、側面視において先端に向かって縮径する形状である、
ことを特徴とする請求項１ないし５のいずれか１項に記載の逆止弁。
【請求項７】
前記弁体は、平面視円形で上面が平坦な鍔部を有し、前記透孔閉鎖部は前記鍔部の下面に連続して形成されている、
ことを特徴とする請求項１ないし６のいずれか１項に記載の逆止弁。
【請求項８】
請求項１ないし７のいずれか１項に記載の逆止弁を有する液体用又は紛体用容器であって、
内容物を収容する胴部と、
前記胴部に連接する口頚部と、
前記口頚部に嵌着され、その中央に注出口を有する中栓と
前記胴部と前記口頚部との間に形成され、その中央に透孔を穿設した隔壁とを有し、
前記隔壁と前記中栓の下端との間に形成した小室に、前記逆止弁を配置した、
ことを特徴とする容器。
【請求項９】
前記逆止弁の前記柱部は、前記中栓の前記注出口の内部に連通する注出孔内に配置される、
ことを特徴とする請求項８に記載の容器。
【請求項１０】
前記逆止弁の前記突出部は、前記隔壁の前記透孔内に配置される、
ことを特徴とする請求項８又は９に記載の容器。
【請求項１１】
前記弁体の前記透孔閉鎖部が当接する前記隔壁の前記透孔の端部は、前記透孔閉鎖部と略同一形状の球面である、
ことを特徴とする請求項８ないし１０のいずれか１項に記載の容器。
【請求項１２】
前記弁体の前記透孔閉鎖部の径は、前記隔壁の前記透孔の径よりも大きい、
ことを特徴とする請求項８ないし１１のいずれか１項に記載の容器。
【請求項１３】
前記弁体の前記突出部の長さは、前記隔壁の厚みよりも長く、かつ前記隔壁と前記中栓の下端までの距離よりも長い、
ことを特徴とする請求項８ないし１２のいずれか１項に記載の容器。
【請求項１４】
前記弁体の前記鍔部の上面及び／又は前記中栓の下端に、前記鍔部の上面と前記中栓の下端との密着を防止する凸部が形成されている、
ことを特徴とする請求項８ないし１３のいずれか１項に記載の容器。
【請求項１５】
前記弁体の前記柱部の先端から前記突出部の先端までの長さは、前記容器の前記口頚部の先端から前記隔壁までの長さより長い、
ことを特徴とする請求項８ないし１４のいずれか１項に記載の容器。
【考案の詳細な説明】
【技術分野】
【０００１】
本考案は、液体用又は紛体用容器の排出部に用いる逆止弁、及び当該逆止弁を有する容器に関する。
【背景技術】
【０００２】
押出容器のエアバックを防止する逆止弁装置として、実開昭５６−１４７２５３号に記載されたものが知られている。当該実用新案に記載の考案は、胴部と、胴部に接合されている口頚部とから成り、口頚部はその下方部分に口頚部を横切り且つ中央部に透孔を穿設した隔壁を有する合成樹脂製押出容器本体と、口頚部の上端に嵌着され、中央部分に口頚部の口部内径よりも小径の注出口を有する弁体押さえ用外栓と、隔壁の上面と外栓の下面とで規定される小室内で閉鎖板部が上下動することにより隔壁の透孔を開閉する弁体とから成るエアバック防止装置であって、弁体が隔壁の透孔を閉鎖し得る大きさを有し隔壁上面と接触して透孔を閉鎖する閉鎖板部と閉鎖板部から上方に延び、閉鎖板部が透孔を閉鎖しているときには、該外栓下面から離れた状態で外栓下面と対面する上端部分をもつ上方突出部とを有し、且つ上方突出部と閉鎖板部とは弁体が上動して上端部分と外栓下面とが接触したときに透孔と注出口とを連通させる構造を有するものである。
【先行技術文献】
【特許文献】
【０００３】
【特許文献１】実開昭５６−１４７２５３号公報
【考案の概要】
【考案が解決しようとする課題】
【０００４】
しかしながら上記従来技術の構造では、弁体の閉鎖板部下面と容器口頚部内の隔壁上面が平面接触であるため、弁体が少しでも傾くと閉鎖板部下面と隔壁上面との密着が瞬時に解除されエアバックが発生してしまう。これを防止するために、閉鎖板部下方に透孔内に挿入し、傾きを防止する突出部を設けることも提案されているが、弁体の傾きを高精度に制御するためには透孔内と突出部とのクリアランスが小さくなくてはならず、弁体が上下動する際の妨げとなる可能性がある。更に、組立の際に、容器口頚部内に弁体を挿入する作業が煩雑で作業性が著しく低下するという問題があった。
【課題を解決するための手段】
【０００５】
本考案は、上記した従来技術が有する問題を解決することを目的とするものであって、液体用又は紛体用容器の排出部に用いる逆止弁であり、弁体と、前記弁体に一体形成された柱部及び突出部からなり、前記弁体は、下面に略半球体状の透孔閉鎖部を有し、前記柱部は、前記弁体の上面中央から軸線方向に突出して形成され、前記突出部は、前記弁体の前記透孔閉鎖部から、前記弁体を挟んで前記柱部とは反対の軸線方向に突出して形成されている、ことを特徴とする。
【０００６】
また本考案は、上記した逆止弁を有する容器であって、内容物を収容する胴部と、前記胴部に連接する口頚部と、前記口頚部に嵌着され、その中央に注出口を有する中栓と前記胴部と前記口頚部との間に形成され、その中央に透孔を穿設した隔壁とを有し、前記隔壁と前記中栓の下端との間に形成した小室内に、前記逆止弁を配置した、ことを特徴とする。
【考案の効果】
【０００７】
本考案によれば、弁体の透孔閉鎖部を球面としたことで、弁体が傾いても透孔との密着性が低下することが無く、かつ透孔閉鎖部の上下に形成された柱部及び突出部によって弁体の傾き範囲が規制されながらも、弁体の上下動の妨げにならず、弁体がスムーズに上下動することが出来る。
【０００８】
更に、弁体の柱部先端から突出部先端までの長さを口頚部先端から隔壁までの長さより長くする場合、弁体を口頚部内へ設置する際に、弁体の柱部を掴んだ状態で容易に弁体の突出部を透孔内へ挿入することができ、組立作業の煩雑さを解消することができる。
【図面の簡単な説明】
【０００９】
【図１】本考案に係る弁体を有する容器上部の断面図
【図２】弁体が開いた状態の断面図
【図３】弁体の正面図
【図４】弁体の平面図
【図５】弁体の底面図
【図６】弁体を容器に挿入する際の作業図
【考案を実施するための最良の形態】
【００１０】
以下、本考案の実施例について図１〜６を用いて詳細に説明する。
本実施例に係る容器１は、図１に示す通り液体物や紛体を収容する胴部２と、胴部２から一体に突出する円筒状の口頚部３と、当該口頚部３に嵌着されその中央に注出口８を有する中栓４と、胴部３と中栓４との間に配置される弁体１０と、から構成される。また、胴部３と口頚部４との間には、その中央に透孔６を穿設した隔壁５を有している。なお、口頚部３の外周面にある凸部は、ネジ式キャップを用いる場合のネジ山であるが、ネジ山を必要としない圧入式のキャップ等であっても良い。
【００１１】
弁体１０は、平面視円形で上面が平坦な鍔部１１と、当該鍔部１１の下面側に連続して形成される略半球体状の透孔閉鎖部１２を有し、また、鍔部１１の中央部分から軸線方向上方に向けて突出する柱部１３と、透孔閉鎖部１２の中央から柱部１３とは反対の軸線方向に（鍔部１１及び透孔閉鎖部１２を挟んで反対方向に）突出する突出部１４とが形成されており、全体としてコマ型の形状を成している。
【００１２】
本実施例において、上記の構成からなる弁体１０は合成樹脂材により一体成形されているが、それぞれの構成要素を別々に製造して接着剤等で固定しても良く、金属等樹脂以外の材料で構成しても良い。また本実施例では、弁体１０の中央部の構造を鍔部１１と当該鍔部１１の下方位置に形成した透孔閉鎖部１２の二段構成としているが、鍔部１１を形成せずに、略半球形状の透孔閉鎖部１２だけの構成であっても良い。
【００１３】
柱部１３は、図示するようにストレートな円柱形状であっても、又は先端に向かって縮径するテーパーを有する円柱形状であっても良い。柱部１３の径は、適宜の大きさで良いが、鍔部１１の径の１／４〜１／３であることが好ましい。また柱部１３の長さは、少なくとも使用者が指で摘まむことが可能な５ｍｍ以上の長さであることが好ましい。なお、柱部１３の形状は、円柱形状のみならず、多角形柱やその他の形状であっても良い。
【００１４】
突出部１４は、図５に示す通り、断面十字形状としている。突出部１４は、隔壁５に形成した透孔６に容易に挿入しやすくするために、側面視において先端に向かって縮径する形状（先尖り形状）とすることが好ましい。突出部１４の形状は、断面十字形状に限らず、断面円形その他の形状であっても良く、また、先端が尖っていないストレート形状であっても良い。
【００１５】
上記した弁体１０は、図１、２に示すとおり、隔壁５と中栓４の下端との間に形成される小室内１５に上下移動可能なように収納される。図１は、弁体１０が閉じた状態を示しており、図２は、弁体１０が開いた状態を示している。
【００１６】
弁体１０の透孔閉鎖部１２の径は隔壁５の透孔６の径よりも大きく、また弁体１０の透孔閉鎖部１２と当接する隔壁５の透孔６の端部は、透孔閉鎖部１２の曲面と略同一の曲面を有しているため（孔の端部が面取りされているため）、弁体１０が斜めに傾いた場合であっても、弁機能を十分発揮できるようになっている。なお、隔壁５の透孔６の端部は、必ずしも透孔閉鎖部１２の曲面と略同一の曲面とする必要はなく、隔壁５に対して垂直に穿孔された孔であっても良い。
【００１７】
また、弁体１０の柱部１３が中栓４の注出孔９内に配置されていること、また突出部１４が一定の厚みのある隔壁５の透孔６内に配置されていることにより、弁体１０が一定範囲以上に傾くことが防止され、かつ柱部１３及び突出部１４が注出孔９及び透孔６によって案内され、弁体１０のスムーズな上下移動を確保することができるようになっている。
【００１８】
さらに本実施例では、中栓４の下端に凸部１６を形成することにより、液体物による表面張力や粘性による密着等によって、弁体１０の鍔部１１上面と中栓４の下端とが密着してしまい、弁機能を喪失することを防止するようになっている。なお本実施例においては、当該凸部１６を中栓側に形成しているが、弁体１０の鍔部１１上面に形成しても良く、或いは両者に形成しても良い。
【００１９】
図６に示すとおり、弁体１０の柱部１３の先端から突出部１４の先端までの長さＬは、容器１の口頚部４の先端から隔壁１５までの長さｌよりも長くなっている（Ｌ>ｌ）。この構成により、弁体１０を容器１に装着する際、柱部１３を指で摘まみながら突出部１４を隔壁５の透孔６内に正確に設置することができる。
【００２０】
以上の構成を有する本考案によれば、弁体の透孔閉鎖部を球面としたことで、弁体が傾いても透孔との密着性が低下することが無く、かつ透孔閉鎖部の上下に形成された柱部及び突出部によって弁体の傾き範囲が規制されながらも、弁体の上下動の妨げにならず、弁体がスムーズに上下動することが出来る。
【符号の説明】
【００２１】
１  容器
２  胴部
３  口頚部
４  中栓
５  隔壁
６  透孔
７  透孔端部
８  注出口
９  注出孔
１０  弁体
１１  鍔部
１２  透孔閉鎖部
１３  柱部
１４  突出部
１５  小室
１６  凸部
【図１】
0003211858.tif 000003
【図２】
0003211858.tif 000004
【図３】
0003211858.tif 000005
【図４】
0003211858.tif 000006
【図５】
0003211858.tif 000007
【図６】
0003211858.tif 000008
【手続補正書】
【提出日】平成29年6月6日(2017.6.6)
【手続補正１】
【補正対象書類名】実用新案登録請求の範囲
【補正対象項目名】全文
【補正方法】変更
【補正の内容】
【実用新案登録請求の範囲】
【請求項１】
液体用又は紛体用容器の排出部に用いる逆止弁であって、
弁体と、前記弁体に一体形成された柱部及び突出部からなり、
前記弁体は、下面に略半球体状の透孔閉鎖部を有し、
前記柱部は、前記弁体の上面中央から軸線方向に突出して形成され、
前記突出部は、前記弁体の前記透孔閉鎖部から、前記弁体を挟んで前記柱部とは反対の軸線方向に突出して形成されている、
ことを特徴とする逆止弁。
【請求項２】
前記柱部は、ストレートな円柱形状、又は先端に向かって縮径するテーパーを有する円柱形状である、
ことを特徴とする請求項１に記載の逆止弁。
【請求項３】
前記弁体は、平面視円形で上面が平坦な鍔部を有し、前記透孔閉鎖部は前記鍔部の下面に連続して形成されている、
ことを特徴とする請求項１又は２に記載の逆止弁。
【請求項４】
前記柱部の径は、前記鍔部の径の１／４〜１／３である、
ことを特徴とする請求項３に記載の逆止弁。
【請求項５】
前記柱部の長さは、少なくとも使用者が指で摘まむことが可能な５ｍｍ以上の長さである、
ことを特徴とする請求項１ないし３のいずれか１項に記載の逆止弁。
【請求項６】
前記突出部は、断面円形又は断面十字形状である、
ことを特徴とする請求項１ないし４のいずれか１項に記載の逆止弁。
【請求項７】
前記突出部は、側面視において先端に向かって縮径する形状である、
ことを特徴とする請求項１ないし５のいずれか１項に記載の逆止弁。
【請求項８】
請求項１ないし７のいずれか１項に記載の逆止弁を有する液体用又は紛体用容器であって、
内容物を収容する胴部と、
前記胴部に連接する口頚部と、
前記口頚部に嵌着され、その中央に注出口を有する中栓と
前記胴部と前記口頚部との間に形成され、その中央に透孔を穿設した隔壁とを有し、
前記隔壁と前記中栓の下端との間に形成した小室に、前記逆止弁を配置した、
ことを特徴とする容器。
【請求項９】
前記逆止弁の前記柱部は、前記中栓の前記注出口の内部に連通する注出孔内に配置される、
ことを特徴とする請求項８に記載の容器。
【請求項１０】
前記逆止弁の前記突出部は、前記隔壁の前記透孔内に配置される、
ことを特徴とする請求項８又は９に記載の容器。
【請求項１１】
前記弁体の前記透孔閉鎖部が当接する前記隔壁の前記透孔の端部は、前記透孔閉鎖部と略同一形状の球面である、
ことを特徴とする請求項８ないし１０のいずれか１項に記載の容器。
【請求項１２】
前記弁体の前記透孔閉鎖部の径は、前記隔壁の前記透孔の径よりも大きい、
ことを特徴とする請求項８ないし１１のいずれか１項に記載の容器。
【請求項１３】
前記弁体の前記突出部の長さは、前記隔壁の厚みよりも長く、かつ前記隔壁と前記中栓の下端までの距離よりも長い、
ことを特徴とする請求項８ないし１２のいずれか１項に記載の容器。
【請求項１４】
前記弁体は、平面視円形で上面が平坦な鍔部を有し、前記鍔部の上面及び／又は前記中栓の下端に、前記鍔部の上面と前記中栓の下端との密着を防止する凸部が形成されている、
ことを特徴とする請求項８ないし１３のいずれか１項に記載の容器。
【請求項１５】
前記弁体の前記柱部の先端から前記突出部の先端までの長さは、前記容器の前記口頚部の先端から前記隔壁までの長さより長い、
ことを特徴とする請求項８ないし１４のいずれか１項に記載の容器。